(57)【要約】【課題】  使用者の手を握らせるための手摺り本体と、この手摺り本体を設置面との間に間隔をおいて支持するための支持脚部とを少なくとも備えた手摺り装置において、使用者の手が手摺り本体のどの位置の握り部を掴んでも、該握り部を馴染みよく容易に、しかも滑りなく握れるようにする。【解決手段】  手摺り本体Ｔｍは、それの長手方向に沿って互いに一列に並ぶ複数の握り部１…を相互に一体に結合して構成され、各々の握り部１は、外径が該握り部１の前記長手方向中央部で最大となり且つその中央部から両端に向かうにつれて徐々に減少する回転体状に形成される。【選択図】    図２
2007070936.tif 000002
【特許請求の範囲】
【請求項１】
使用者の手を握らせるための手摺り本体（Ｔｍ）と、この手摺り本体（Ｔｍ）を設置面（Ｆ）に支持するための少なくとも１つの支持脚部（Ｔａ，Ｔａ′，Ｔａ″）とを備え、その手摺り本体（Ｔｍ）と設置面（Ｆ）との間には、使用者の手が入る空間（Ｓ）が形成されるようにした手摺り装置において、
手摺り本体（Ｔｍ）は、それの長手方向に沿って互いに一列に並ぶ複数の握り部（１）を相互に一体に結合して構成され、
各々の握り部（１）は、外径が該握り部（１）の前記長手方向中央部（１ａ）で最大となり且つその中央部（１ａ）から両端（１ｂ）に向かうにつれて徐々に減少する回転体状に形成されることを特徴とする、手摺り装置。
【請求項２】
各々の握り部（１）の前記長手方向中央部（１ａ）は、その縦断面が外方に向かって凸の円弧状であることを特徴とする、請求項１に記載の手摺り装置。
【請求項３】
相隣なる２つの握り部（１，１）の隣接端部間は、該握り部（１，１）よりも小径の軸状に形成した中間連結部材（Ｊ）を介して相互に一体に結合されることを特徴とする、請求項１又は２に記載の手摺り装置。
【請求項４】
相隣なる２つの握り部（１，１）の隣接端部間は、相互に一体に直接結合されることを特徴とする、請求項１又は２に記載の手摺り装置。
【発明の詳細な説明】
【技術分野】
【０００１】
本発明は、手摺り装置、特に建物内の種々の空間、例えば廊下、スロープ、階段、出入口、浴室、トイレ、エレベータ等に設置される手摺り装置に関する。
【背景技術】
【０００２】
従来では、上記手摺り本体として、丸棒状のストレートな形態のものが一般的であったが、そのようなストレートな丸棒状の手摺り本体は、握力が衰えた高齢者や障害者、病人、子供等にとっては手が滑り易く、使い辛いものであった。
【０００３】
そこでこの問題を解決するために、たとえば下記の特許文献１，２にも示されるように丸棒形状の手摺り本体の複数の中間部分を屈曲加工して、滑りにくくなるよう工夫された製品が提案されている。
【特許文献１】特開２００４−１５６４３７号公報
【特許文献２】特開２００５−４８４１０号公報
【発明の開示】
【発明が解決しようとする課題】
【０００４】
しかしながら上記提案のものでは、手摺り本体として基本的に丸棒状のものを使用しているため、手摺り本体中間部に形成される複数の屈曲部のピッチが比較的大きい場合には、丸棒状で滑り易いという元々の問題が十分に解決されず、しかも使用者が握る部分の、手摺り本体軸線に対する角度がまちまちであるため、握る部分によって手の力の入れ方や作用方向を変えなければならず、使い勝手や使用感が悪い等の問題がある。一方、上記ピッチを比較的小さくした場合には、手摺り本体の握り部に対する使用者の手の馴染み性が悪くなって、該握り部をつかみ辛く、また手に力を入れにくい等の問題がある。
【０００５】
本発明は、前述の諸事情に鑑みてなされたもので、従来の上記問題を簡単な構造で一挙に解決できるようにした新規有用な手摺り装置を提供することを目的とする。
【課題を解決するための手段】
【０００６】
上記目的を達成するために請求項１の発明は、使用者の手を握らせるための手摺り本体と、この手摺り本体を設置面に支持するための少なくとも１つの支持脚部とを備え、その手摺り本体と設置面との間には、使用者の手が入る空間が形成されるようにした手摺り装置において、手摺り本体は、それの長手方向に沿って互いに一列に並ぶ複数の握り部を相互に一体に結合して構成され、各々の握り部は、外径が該握り部の前記長手方向中央部で最大となり且つその中央部から両端に向かうにつれて徐々に減少する回転体状に形成されることを特徴とする。
【０００７】
また請求項２の発明は、請求項１の上記構成に加えて、各々の握り部の前記長手方向中央部は、その縦断面が外方に向かって凸の円弧状であることを特徴とする。
【０００８】
さらに請求項３の発明は、請求項１又は２の上記構成に加えて、相隣なる２つの握り部の隣接端部間は、該握り部よりも小径の軸状に形成した中間連結部材を介して相互に一体に結合されることを特徴とする。
【０００９】
さらに請求項４の発明は、請求項１又は２の上記構成に加えて、相隣なる２つの握り部の隣接端部間は、相互に一体に直接結合されることを特徴とする。
【発明の効果】
【００１０】
以上のように本発明によれば、手摺り本体は、それの長手方向に沿って互いに一列に並ぶ複数の握り部を相互に一体に結合して構成され、その個々の握り部は、外径が該握り部の前記長手方向中央部で最大となり且つその中央部から両端に向かうにつれて徐々に減少する回転体状に形成されるので、使用者の手が、手摺り本体におけるどの握り部をどの方向から掴んでも、該握り部を容易に且つ的確に握ることができる。しかも個々の握り部は中央部に対し両端部が各々先細り状であることから、個々の握り部を手で掴み易くなるばかりか、前後何れの方向からも良好な滑り止め効果が発揮されて、一旦掴んだ握り部を手の中で滑りにくくすることができる。
【００１１】
また特に請求項２の発明によれば、個々の握り部の、手摺り方向長手方向の中央部は、その縦断面が外方に向かって凸の円弧状であるので、個々の握り部の中央部が円弧状に膨らんで、これに接する手の馴染み性が頗る良好であり、またその握り部の中央部外周面が中高の丸みを帯びることから、人の身体や物が勢いよくぶつかったときでも、それらの傷付き防止に効果的である。
【００１２】
また特に請求項３の発明によれば、相隣なる２つの握り部の隣接端部間は、該握り部よりも小径の軸状をなす中間連結部材を介して相互に一体に結合されるので、相隣なる２つの握り部の隣接端部間に、手が余裕を以て入る比較的幅広の溝状空間部が形成され、従って、個々の握り部を一層掴み易くすることができる。
【００１３】
また特に請求項４の発明によれば、相隣なる２つの握り部の隣接端部間は、相互に一体に直接（即ち請求項３のような中間連結部材を介さずに）結合されるので、手摺り本体の立体形状を極力単純化して製作を容易化できる上、相隣なる２つの握り部の隣接端部間に形成される括れ領域を極力小さくして手摺り本体の剛性強度を高めることができる。
【発明を実施するための最良の形態】
【００１４】
本発明の実施の形態を、添付図面に例示した本発明の実施例に基づいて以下に具体的に説明する。
【００１５】
添付図面において、図１〜図６は本発明の手摺り装置を廊下に設置した第１実施例を示すものであって、図１は全体斜視図、図２は、手摺り装置の正面図（図１の２矢視拡大図）、図３は、手摺り装置における手摺り本体の要部拡大図、図４は図２の４−４線拡大断面図、図５は図４の５−５線断面図、図６は図４の６−６線断面図である。また図７は、本発明に係る手摺り装置を階段に設置した第２実施例を示す斜視図、また図８は、本発明に係る手摺り装置を浴室に設置した第３実施例を示す斜視図、図９は、本発明に係る手摺り装置をトイレに設置した第４実施例を示す斜視図である。さらに図１０〜図１８は、手摺り本体の第１〜第９変形例をそれぞれ示す図３対応図である。
【００１６】
先ず、図１〜図６を参照して、手摺り装置Ｔを廊下に設置した第１実施例を説明する。建物内の廊下の側面Ｆ（本発明の設置面に該当）には、歩行者が手で身体を支えるのに利用する手摺り装置Ｔが、通路方向に沿って設置されている。
【００１７】
この手摺り装置Ｔは、使用者の手を直接握らせるための手摺り本体Ｔｍと、この手摺り本体Ｔｍを設置面、即ち廊下の側面Ｆに支持するための複数の支持脚部Ｔａ，Ｔａ′とより構成されており、この手摺り本体Ｔｍと廊下の側面Ｆとの間には、使用者の手が入る空間Ｓが形成される。
【００１８】
その手摺り本体Ｔｍは、図示例では通路方向に沿って直線状に形成されており、この手摺り本体Ｔｍの両端には、該手摺り本体Ｔｍと略直角をなして設置面（廊下側面Ｆ）側に延びる前後一対の支持脚部Ｔａ，Ｔａが一体に連設される。また図示例では、手摺り本体Ｔｍと支持脚部Ｔａ，Ｔａとの内部に、その両者間に亘って延びる金属パイプよりなる心材Ｐｉが縦通しており、その心材Ｐｉの外周に合成樹脂材Ｐをモールド成形して手摺り本体Ｔｍと支持脚部Ｔａ，Ｔａとが一体に構成される。
【００１９】
前記手摺り本体Ｔｍは、それの長手方向（従って通路方向）に沿って互いに一列に並ぶ多数の握り部１…を相互に一体に結合して構成される。この場合、図示例では、相隣なる２つの握り部１，１の隣接端部間が、該握り部１，１よりも短く且つ小径の軸状に形成された中間連結部材Ｊを介して相互に一体に結合される。
【００２０】
各々の握り部１は、外径が該握り部１の、手摺り本体Ｔｍの長手方向に沿う中央部１ａで最大となり且つその中央部１ａから両端１ｂに向かうにつれて徐々に減少する回転体状に形成される。しかも、それら握り部１の外径及びピッチは、主たる使用者が手で掴み易いサイズ及びピッチに適宜設定される。
【００２１】
またこの図示例では、各々の握り部１の縦断面が、楕円の長軸方向両端部を切除した平面形態をなしており、その平面形態を手摺り本体Ｔｍの長手方向中心線回りに１回転したときにできる立体形状（即ち前記回転体状）として各々の握り部１が形成される。
【００２２】
従って、各々の握り部１の前記中央部１ａは、その縦断面が外方に向かって凸の円弧状となり、これにより、個々の握り部１の中央部１ａが円弧状に膨らんで手の馴染み性が頗る良好となり、またその握り部１の中央部１ａ外周面が中高の丸みを帯びていることから、人の身体や物が勢いよく衝接したようなときでも、それらが傷付くのを効果的に防止することができる。
【００２３】
各々の支持脚部Ｔａの端部には、合成樹脂部Ｐ端面から心材Ｐが多少突出しており、その突出部分Ｐｉａの先端に溶接等により固着した取付板２が廊下側面Ｆに複数のタッピングねじ３で固着される。またその固着部は、手摺り本体Ｔｍの端部に嵌合される円錐状カバー４で体裁よく覆われ、該カバー４は、取付板２に適宜の固着手段（図示例ではビス５）で固定される。
【００２４】
また前記手摺り本体Ｔｍの長手方向中間部（図示例では中間連結部材Ｊ）には、該手摺り本体Ｔｍとは別個に形成された支持脚部Ｔａ′が後付けで装着されており、その支持脚部Ｔａ′の基端には取付板２′が固着され、この取付板２′は、前記取付板２と同様、タッピングねじで設置面（廊下側面Ｆ）に着脱可能に固定される。尚、上記支持脚部Ｔａ′は、手摺り本体Ｔｍが比較的長い場合にその長手方向中間部を安定よく強固に支持するのに有効であるが、必要に応じて省略してもよい。
【００２５】
また上記支持脚部Ｔａ′は、図示例では手摺り本体Ｔｍと別部品であるが、これを、両端の支持脚部Ｔａと同様に、手摺り本体Ｔｍと一体に連設してもよい。
【００２６】
次に前記実施例の作用を説明する。先に説明したように手摺り本体Ｔｍは、それの長手方向に沿って互いに一列に並ぶ複数の握り部１…を相互に一体に結合して構成され、その個々の握り部１は、外径が該握り部１の前記長手方向中央部１ａで最大となり且つその中央部１ａから両端１ｂに向かうにつれて徐々に減少する回転体状に形成されるため、使用者の手が、手摺り本体Ｔｍにおけるどの握り部１をどの方向から掴んだとしても、その握り部１を容易に且つ的確に握ることが可能である。その上、個々の握り部１は、それの中央部１ａに対し両端部が各々先細り状であることから、個々の握り部１を手で掴み易いだけでなく、その先細り状部分が前後何れの方向からも良好な滑り止め効果が発揮し得て、一旦掴んだ握り部１を手の中で滑りにくくすることができる。
【００２７】
また図示例のように個々の握り部１の長手方向中央部１ａを、その縦断面が外方に向かって凸の円弧状に形成すれば、個々の握り部１の中央部１ａが円弧状に膨らんで手の馴染み性が頗る良好となり、またその握り部１の中央部１ａ外周面が中高の丸みを帯びていることから、人の体の一部や物が勢いよく衝接したようなときでも、それらの傷付き防止に効果的である。
【００２８】
また図示例では、相隣なる２つの握り部１，１の隣接端部間が、該握り部１，１よりも短く且つ小径の軸状をなす中間連結部材Ｊを介して相互に一体に結合されるため、その相隣なる２つの握り部１，１の隣接端部間には、手が余裕を以て入る比較的幅広の溝状空間部が形成され、従って、個々の握り部１を一層掴み易くすることができる。
【００２９】
その上、図示例のような握り部形状によれば、握り部１…の外面が曲面を主体とした軟らかな卵形或いは球体状の印象を使用者に与えることができるから、従来の手摺りにない遊び心を演出し、適宜の彩色効果とも相俟って病院、高齢者施設、教育施設等においても明るい雰囲気を醸し出し、使用者に対し精神的にも良好な影響を与えることができる。
【００３０】
図７には、本発明に係る手摺り装置Ｔを階段に設置した第２実施例が示される。
【００３１】
この第２実施例では、第１の手摺り本体Ｔｍが階段の左右一側部に、また第２の手摺り本体Ｔｍが階段の左右他側部にそれぞれ階段の傾斜に沿って斜めに配置される。
【００３２】
図７で左側の第１の手摺り本体Ｔｍは、その両端に各々一体に連設した下向き屈曲部１ｅ，１ｅと、手摺り本体Ｔｍの中間部とが、設置面としての階段床面Ｆ′より起立する複数の支持脚部Ｔａ′の上端部にそれぞれ結合される。その各支持脚部Ｔａ′は、図示例では手摺り本体Ｔｍとは別部品として製作され、手摺り本体Ｔｍに後付けで装着される。その各支持脚部Ｔａ′の上端と手摺り本体Ｔｍとの間の結合構造や、各支持脚部Ｔａ′の下端と階段床面Ｆとの間の結合構造は、階段用手摺りの取付手段として従来周知の取付構造が採用される。
【００３３】
また図７で右側の第２の手摺り本体Ｔｍは、その下端に下向きに一体に連設した下向き屈曲部１ｅと、その上端に水平に一体に連設した水平屈曲部１ｅ′を有しており、その下向き屈曲部１ｅ又はその近傍部と、水平屈曲部１ｅ′又はその近傍部と、手摺り本体Ｔｍの長手方向中間部とが、設置面としての階段側面Ｆに固定した複数の支持脚部Ｔａ′にそれぞれ結合される。その各支持脚部Ｔａ′は、図示例では手摺り本体Ｔｍとは別部品として製作され、手摺り本体Ｔｍに後付けで装着される。その各支持脚部Ｔａ′の先端と手摺り本体Ｔｍとの間の結合構造や、各支持脚部Ｔａ′の基端と階段部側面Ｆとの間の結合構造は、階段用手摺りの取付手段として従来周知の取付構造が採用される。
【００３４】
この第２実施例における手摺り本体Ｔｍの複数の握り部２の構成は、第１実施例のそれと基本的に同じであり、従って、第１実施例と同様の作用効果が達成される。
【００３５】
図８には、本発明に係る手摺り装置Ｔを浴室に設置した第３実施例が示される。この第３実施例では、手摺り本体Ｔｍが設置面としての浴室側面Ｆに、浴槽の周辺において設置されている。手摺り本体Ｔｍの構造や設置面への取付構造は、第１実施例と基本的に同様であり、従って、第１実施例と同様の作用効果が達成される。
【００３６】
図９には、本発明に係る手摺り装置Ｔをトイレに設置した第３実施例が示される。この第３実施例では、手摺り本体Ｔｍが設置面としてのトイレ側面Ｆに、便器の周辺において設置されている。手摺り本体Ｔｍの構造や設置面への取付構造は、手摺り本体Ｔｍが、その中間部が屈曲形成されていて全体としてＬ字状に形成される点と、中間部にも支持脚部Ｔａ″が一体に連設される点を除いて、第１実施例と基本的に同様であり、従って、第１実施例と同様の作用効果が達成される。尚、その支持脚部Ｔａ″を、第１実施例のように手摺り本体Ｔｍとは別部品として手摺り本体Ｔｍに後付けで装着してもよい。
【００３７】
図１０には、手摺り本体Ｔｍの第１変形例が示されており、このものは、手摺り本体Ｔｍにおいてその長手方向に沿って互いに一列に並ぶ複数の握り部１…の隣接端部間が直接に（即ち前記実施例のような中間連結部材Ｊを介することなく）一体に結合されている点を除いて、基本的に第１実施例と同様の構成であり、従って、中間連結部材Ｊによる作用効果を除いて、第１実施例と同様の作用効果が達成される。
【００３８】
図１１には、手摺り本体Ｔｍの第２変形例が示されており、このものは、手摺り本体Ｔｍにおいてその長手方向に沿って互いに一列に並ぶ複数の握り部１…の形状だけが第１実施例と相違する。即ち、この変形例では、各々の握り部１の縦断面形状は、長手方向中央部１ａが外方に凸の円弧面とされる一方、その中央部１ａから両端１ｂに至る部分が先細りテーパ面１ｔで形成される。この点を除いて、第２変形例は、基本的に第１実施例と同様の構成であり、第１実施例と同様の作用効果が達成される。
【００３９】
図１２には、手摺り本体Ｔｍの第３変形例が示されており、このものは、第２変形例の手摺り本体Ｔｍにおいてその長手方向に沿って互いに一列に並ぶ複数の握り部１…の隣接端部間が直接に（即ち第２変形例のような中間連結部材Ｊを介することなく）一体に結合されている点を除いて、基本的に第２変形例と同様の構成であり、従って、中間連結部材Ｊによる作用効果を除いて、第１変形例と同様の作用効果が達成される。
【００４０】
図１３には、手摺り本体Ｔｍの第４変形例が示されており、このものは、手摺り本体Ｔｍにおいてその長手方向に沿って互いに一列に並ぶ複数の握り部１…の形状だけが第１実施例と相違する。即ち、この変形例では、各々の握り部１の縦断面形状がその手摺り本体Ｔｍの長手方向中央部１ａだけでなく全体が外方に凸の、同一曲率の円弧面（従って立体形状としての球状）とされる点を除いて、第４変形例は、基本的に第１実施例と同様の構成であり、第１実施例と同様の作用効果が達成される。
【００４１】
図１４には、手摺り本体Ｔｍの第５変形例が示されており、このものは、第４変形例の手摺り本体Ｔｍにおいてその長手方向に沿って互いに一列に並ぶ複数の握り部１…の隣接端部間が直接に（即ち第４変形例のような中間連結部材Ｊを介することなく）一体に結合されている点を除いて、基本的に第４変形例と同様の構成であり、従って、中間連結部材Ｊによる作用効果を除いて、第４変形例と同様の作用効果が達成される。
【００４２】
図１５には、手摺り本体Ｔｍの第６変形例が示されており、このものは、手摺り本体Ｔｍにおいてその長手方向に沿って互いに一列に並ぶ複数の握り部１…の形状だけが第１実施例と相違する。即ち、この変形例では、各々の握り部１の長手方向中央部１ａが円筒面とされる一方、その中央部１ａから両端１ｂに至る部分が先細りテーパ面１ｔで形成される。この点を除いて、第６変形例は、基本的に第１実施例と同様の構成であり、第１実施例と同様の作用効果が達成される。
【００４３】
図１６には、手摺り本体Ｔｍの第７変形例が示されており、このものは、第６変形例の手摺り本体Ｔｍにおいてその長手方向に沿って互いに一列に並ぶ複数の握り部１…の隣接端部間が直接に（即ち第６変形例のような中間連結部材Ｊを介することなく）一体に結合されている点を除いて、基本的に第６変形例と同様の構成であり、従って、中間連結部材Ｊによる作用効果を除いて、第６変形例と同様の作用効果が達成される。
【００４４】
図１７には、手摺り本体Ｔｍの第８変形例が示されており、このものは、手摺り本体Ｔｍにおいてその長手方向に沿って互いに一列に並ぶ複数の握り部１…の形状だけが第１実施例と相違する。即ち、この変形例では、各々の握り部１がそろばん玉状、即ち長手方向中央部１ａから両端１ｂに向かう一対の先細りテーパ面１ｔのみで構成され、その両テーパ面１ｔの大径端相互が握り部１の中央でエッジ状に突き合わされる。この点を除いて、第６変形例は、基本的に第１実施例と同様の構成であり、第１実施例と同様の作用効果が達成される。
【００４５】
図１８には、手摺り本体Ｔｍの第９変形例が示されており、このものは、第９変形例の手摺り本体Ｔｍにおいてその長手方向に沿って互いに一列に並ぶ複数の握り部１…の隣接端部間が直接に（即ち第８変形例のような中間連結部材Ｊを介することなく）一体に結合されている点を除いて、基本的に第８変形例と同様の構成であり、従って、中間連結部材Ｊによる作用効果を除いて、第８変形例と同様の作用効果が達成される。
【００４６】
以上、本発明の実施例を詳述したが、本発明はその要旨を逸脱しない範囲で種々の設計変更を行うことが可能である。
【００４７】
例えば、前記実施例では、手摺り装置Ｔを廊下、階段、浴室、トイレ等に設置したものを例示したが、本発明では、建物内のその他の空間、例えばスロープ、出入口、エレベータ等に設置してもよい。
【００４８】
また前記実施例では、心材Ｐｉの外周に合成樹脂材Ｐをモールド成形して手摺り本体Ｔｍを構成し、又は手摺り本体Ｔｍ及び支持脚部Ｔａ，Ｔａの結合体を構成するようにしたものを示したが、本発明では、手摺り本体や支持脚部の材質や内部構造は実施例のものに限定されず、例えば全部が金属製、合成樹脂製又は木製でもよく、或いはこれら材料を適宜組み合わせてもよい。また手摺り本体や支持脚部は、中空構造でもよく、中実体でもよい。
【００４９】
また前記実施例では、主として支持脚部Ｔａ，Ｔａ″を手摺り本体Ｔｍに一体化したものを示したが、本発明では、一部又は全部の支持脚部Ｔａ′を手摺り本体Ｔｍと別部品化して、これを後付けで手摺り本体Ｔｍに結合するようにしてもよい。
【００５０】
尚、手摺り本体の第１〜第８変形例は、第１〜第４実施例の何れにも実施可能である。
【図面の簡単な説明】
【００５１】
【図１】本発明に係る手摺り装置を廊下に設置した第１実施例を示す斜視図
【図２】前記手摺り装置の正面図（図１の２矢視拡大図）
【図３】前記手摺り装置における手摺り本体の要部拡大図
【図４】図２の４−４線拡大断面図
【図５】図４の５−５線断面図
【図６】図４の６−６線断面図
【図７】本発明に係る手摺り装置を階段に設置した第２実施例を示す斜視図
【図８】本発明に係る手摺り装置を浴室に設置した第３実施例を示す斜視図
【図９】本発明に係る手摺り装置をトイレに設置した第４実施例を示す斜視図
【図１０】手摺り本体の第１変形例を示す図３対応図
【図１１】手摺り本体の第２変形例を示す図３対応図
【図１２】手摺り本体の第３変形例を示す図３対応図
【図１３】手摺り本体の第４変形例を示す図３対応図
【図１４】手摺り本体の第５変形例を示す図３対応図
【図１５】手摺り本体の第６変形例を示す図３対応図
【図１６】手摺り本体の第７変形例を示す図３対応図
【図１７】手摺り本体の第８変形例を示す図３対応図
【図１８】手摺り本体の第９変形例を示す図３対応図
【符号の説明】
【００５２】
Ｆ・・・設置面としての廊下側面、階段側面、浴室側面、トイレ側面
Ｆ′・・設置面としての階段床面
Ｊ・・・中間連結部材
Ｔ・・・手摺り装置
Ｔａ，Ｔａ′，Ｔａ″・・支持脚部
Ｔｍ・・手摺り本体
Ｓ・・・空間
１・・・握り部
１ａ・・長手方向中央部
１ｂ・・両端
【図１】
2007070936.tif 000003
【図２】
2007070936.tif 000004
【図３】
2007070936.tif 000005
【図４】
2007070936.tif 000006
【図５】
2007070936.tif 000007
【図６】
2007070936.tif 000008
【図７】
2007070936.tif 000009
【図８】
2007070936.tif 000010
【図９】
2007070936.tif 000011
【図１０】
2007070936.tif 000012
【図１１】
2007070936.tif 000013
【図１２】
2007070936.tif 000014
【図１３】
2007070936.tif 000015
【図１４】
2007070936.tif 000016
【図１５】
2007070936.tif 000017
【図１６】
2007070936.tif 000018
【図１７】
2007070936.tif 000019
【図１８】
2007070936.tif 000020